【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
第一のストレージシステム及び第二のストレージシステムが接続されるリモートコピーネットワークであって、
前記第一のストレージシステムと接続される第一のエッジデバイスと、
前記第二のストレージシステムと接続される第二のエッジデバイスと、
前記第一のエッジデバイス及び前記第二のエッジデバイスを接続するネットワークと、を有し、
前記第一のエッジデバイスは、前記第一のストレージシステムから、前記第二のストレージシステムへデータをリモートコピーするための、リモートコピーI/O要求を受信し、
前記第一のエッジデバイスは、受信したリモートコピーI/O要求に対する応答を、前記第一のストレージシステムに送信し、
前記第一のエッジデバイスは、リモートコピーI/O要求に対する応答を送信した後に、リモートコピーI/O要求と該リモートコピーI/O要求の受信順序を示すシーケンシャル番号とを有するログ情報を、前記第二のエッジデバイスに向けて送信し、
前記第二のエッジデバイスは、受信したログ情報からリモートコピーI/O要求を取り出し、取り出したリモートコピーI/O要求を、ログ情報中のシーケンシャル番号が示す順序に従って前記第二のストレージシステムに送信する
ことを特徴とするリモートコピーネットワーク。
【請求項２】
請求項１記載のリモートコピーネットワークにおいて、
前記第一のストレージシステムは第一のボリュームを有し、前記第一のストレージシステムは第一のストレージ識別情報で、前記第一のボリュームは第一のボリューム識別情報で識別され、
前記第二のストレージシステムは第二のボリュームを有し、前記第二のストレージシステムは第二のストレージ識別情報で、前記第二のボリュームは第二のボリューム識別情報で識別され、
前記第一のエッジデバイスには、前記第二のストレージ識別情報と同じ値を有する第一の仮想ストレージ識別情報及び前記第二のボリューム識別情報と同じ値を有する第一の仮想ボリューム識別情報が割り当てられ、
前記第二のエッジデバイスには、前記第一のストレージ識別情報と同じ値を有する第二の仮想ストレージ識別情報及び前記第一のボリューム識別情報と同じ値を有する第二の仮想ボリューム識別情報が割り当てられ、
前記第一のエッジデバイスは、前記第一のストレージシステムから、前記第一のストレージ識別情報及び前記第一のボリューム識別情報を送信元の識別情報とし、前記第二のストレージ識別情報及び前記第二のボリューム識別情報を送信先の識別情報とするリモートコピーI/O要求を受信し、該リモートコピーI/O要求を有するログ情報を前記第二のエッジデバイスへ送信する
ことを特徴とするリモートコピーネットワーク。
【請求項３】
請求項１記載のリモートコピーネットワークにおいて、
前記第一のストレージシステムは第一のボリュームを有し、前記第一のストレージシステムは第一のストレージ識別情報で、前記第一のボリュームは第一のボリューム識別情報で識別され、
前記第二のストレージシステムは第二のボリュームを有し、前記第二のストレージシステムは第二のストレージ識別情報で、前記第二のボリュームは第二のボリューム識別情報で識別され、
前記第一のエッジデバイスには、第一の仮想ストレージ識別情報と第一の仮想ボリューム識別情報とが割り当てられており、
前記第一のエッジデバイスは、前記第一のストレージシステムから、前記第一のストレージ識別情報及び前記第一のボリューム識別情報を送信元の識別情報とし、前記第一の仮想ストレージ識別情報及び前記第一の仮想ボリューム識別情報を送信先の識別情報とするリモートコピーI/O要求を受信し、送信先を前記第二のストレージ識別情報と前記第二のボリューム情報に変換して、変換後のI/O要求を有するログ情報を前記第二のエッジデバイスに送信する
ことを特徴とするリモートコピーネットワーク。
【請求項４】
請求項１記載のリモートコピーネットワークにおいて、
更に、前記第一のエッジデバイスから前記第二のエッジデバイスへのログ情報の送信を中継する少なくとも一のコアデバイスを有する
ことを特徴とするリモートコピーネットワーク。
【請求項５】
請求項４記載のリモートコピーネットワークにおいて、
前記第一のエッジデバイス、前記第二のエッジデバイス、及び前記コアデバイスはルータ装置である
ことを特徴とするリモートコピーネットワーク。
【請求項６】
請求項１記載のリモートコピーネットワークにおいて、
前記第一のエッジデバイスは、前記第二のエッジデバイスへ向けて送信した前記ログ情報を記憶しておき、前記第二のエッジデバイスから前記ログ情報に対する応答を受信した場合に、記憶しておいた前記ログ情報を削除する
ことを特徴とするリモートコピーネットワーク。
【請求項７】
請求項６記載のリモートコピーネットワークにおいて、
前記第一のエッジデバイスは、前記第二のエッジデバイスへ向けて送信したログ情報が前記第二のエッジデバイスで受信されなかった場合に、記憶しておいたログ情報を前記第二のエッジデバイスへ向けて再送する
ことを特徴とするリモートコピーネットワーク。
【請求項８】
請求項６記載のリモートコピーネットワークにおいて、
更に、前記第一のエッジデバイス及び前記第二のエッジデバイスと接続される管理ネットワークと、
前記管理ネットワークに接続される管理サーバと、を有し、
前記ログ情報には更に、前記第一のエッジデバイスがリモートコピーI/O要求を受信した際の時刻情報が含まれており、
前記第一のエッジデバイスは、前記第二のエッジデバイスから前記ログ情報に対する応答を受信した場合に、現時刻から該応答に対応するログ情報に含まれる時刻情報の値を差し引いて求められる、遅れ時間をメモリに記録し、
前記第一のエッジデバイスは、前記メモリに記録された遅れ時間を前記管理ネットワークを介して前記管理サーバに送信し、前記管理サーバが前記遅れ時間を出力する
ことを特徴とするリモートコピーネットワーク。
【請求項９】
請求項１記載のリモートコピーネットワークにおいて、
更に、第四のストレージシステムと接続される第三のエッジデバイスを有し、
前記第一のエッジデバイスは更に第三のストレージシステムと接続されており、
前記第一のエッジデバイスは、前記第三のストレージシステムから前記第四のストレージシステムへデータをリモートコピーするためのリモートコピーI/O要求を受信し、
前記第一のエッジデバイスは、前記第一のストレージシステムから受信するリモートコピーI/O要求と前記第三のストレージシステムから受信するリモートコピーI/O要求とを区別して処理する
ことを特徴とするリモートコピーネットワーク。
【請求項１０】
請求項１記載のリモートコピーネットワークにおいて、
更に、前記第一のエッジデバイス及び前記第二のエッジデバイスと接続される管理ネットワークと、
前記管理ネットワークに接続される管理サーバと、を有し、
前記管理サーバは、前記第一のストレージシステムがリモートコピー元のストレージシステムであり、前記第二のストレージシステムが前記第一のストレージシステムに対応するリモートコピー先のストレージシステムである旨を示す前記ペア情報を受け付け、前記管理ネットワークを介して、受け付けたペア情報を前記第一のエッジデバイス及び前記第二のエッジデバイスに配布する
ことを特徴とするリモートコピーネットワーク。
【請求項１１】
第一のストレージシステムに接続され、第一のストレージシステムから第二のストレージシステムへのデータのリモートコピーを中継する中継装置であって、
前記第一のストレージシステムと接続される第一のインタフェース部と、
前記第二のストレージシステムと接続される他の中継装置と、
ネットワークを介して接続される第二のインタフェース部と、
プロセッサと、
メモリと、を有し、
前記第一のインタフェース部は、前記第一のストレージシステムから前記第二のストレージシステムにデータをリモートコピーするためのリモートコピーI/O要求を受信し、該リモートコピーI/O要求に対する応答を、前記第一のストレージシステムに返信し、
前記プロセッサは、リモートコピーI/O要求と、該リモートコピーI/O要求の受信順序を示すシーケンシャル番号とを有するログ情報とを作成して前記メモリに記憶し、
前記第二のインタフェース部は、作成した前記ログ情報を、リモートコピーI/O要求に対応する応答を返信した後に、前記他の中継装置に対して送信し、
前記第二のインタフェース部は、前記ログ情報に対する応答を受信し、
前記プロセッサは、受信した応答に対応する前記ログ情報を、前記メモリから削除する
ことを特徴とする中継装置。
【請求項１２】
請求項１１記載の中継装置であって、
前記第二のインタフェース部が前記ログ情報に対する応答を受信しない場合に、
前記第二のインタフェース部は、前記メモリに格納されている前記ログ情報を再送する
ことを特徴とする中継装置。
【請求項１３】
請求項１１記載の中継装置であって、
更に管理サーバとネットワークを介して接続される第三のインタフェース部を有しており、
前記ログ情報には、更に前記第一のインタフェース部がリモートコピーＩ/Ｏ要求を受信した時点の時刻情報が含まれており、
前記第二のインタフェース部が、ログ情報に対する応答を受信した場合に、
前記プロセッサは、前記応答を受信した時点の時刻から、前記応答に対応するログ情報に含まれる時刻情報の値を差し引いた、遅れ時間を計算し、
前記第三のインタフェース部は、遅れ時間を前記管理サーバに送信する
ことを特徴とする中継装置。
【請求項１４】
請求項１１記載の中継装置であって、
更に管理サーバと接続される第三のインタフェース部を有しており、
該中継装置には第一の仮想ストレージ識別情報と第一の仮想ボリューム情報とが割り当てられており、
前記第三のインタフェース部は、前記第一の仮想ストレージ識別情報及び前記第一の仮想ボリューム情報をリモートコピーの送信先情報、前記第一のストレージシステムの識別情報である第一のストレージ識別情報と前記第一のストレージシステムが有する第一のボリュームの識別情報である第一のボリューム識別情報とをリモートコピーの送信元情報とするペア情報を、前記管理サーバから受信する
ことを特徴とする中継装置。
【請求項１５】
請求項１４記載の中継装置であって、
前記第一の仮想ストレージ識別情報は、前記第二の記憶装置システムの識別情報である第二のストレージ識別情報と同じ値を有し、
前記第一の仮想ボリューム情報は、前記第二の記憶装置システムが有する第二のボリュームの識別情報である第二のボリューム識別情報と同じ値を有することを特徴とする中継装置。
【請求項１６】
請求項１４記載の中継装置であって、
前記第一のインタフェース部が受信するリモートコピーI/O要求には、送信元の情報として前記第一のストレージ識別情報と前記第一のボリューム識別情報が、送信先の情報として前記第一の仮想ストレージ情報と前記第一の仮想ボリューム情報が含まれており、
前記プロセッサは、送信先の情報を、前記第二のストレージシステムの識別情報である第二のストレージ識別情報と、前記第二のストレージシステムが有する第二のボリュームの識別情報である第二のボリューム識別情報とに変換して、変換後のリモートコピーI/O要求を有するログ情報を作成する
ことを特徴とする中継装置。
【請求項１７】
第二のストレージシステムに接続され、第一のストレージシステムから第二のストレージシステムへのデータのリモートコピーを中継する中継装置であって、
前記第一のストレージシステムと接続される他の中継装置と、
ネットワークを介して接続される第一のインタフェース部と、
前記第二のストレージシステムと接続される第二のインタフェース部と、
プロセッサと、を有し、
前記第一のインタフェース部は、前記第一のストレージシステムから前記第二のストレージシステムにデータをリモートコピーするためのリモートコピーI/O要求と、リモートコピーI/O要求の前記他の中継装置における受信順序を示すシーケンシャル番号とを有する、ログ情報を、前記他の中継装置から受信し、
前記プロセッサは受信したログ情報からリモートコピーI/Oを取得し、
前記第二のインタフェース部は、取得したリモートコピーI/O要求を、ログ情報に含まれるシーケンシャル番号順に、前記第二のストレージシステムに送信する
ことを特徴とする中継装置。
【請求項１８】
請求項１７記載の中継装置であって、
更に管理サーバと接続される第三のインタフェース部を有し、
該中継装置には第二の仮想ストレージ識別情報と第二の仮想ボリューム情報とが割り当てられており、
前記第三のインタフェース部は、前記第二の仮想ストレージ識別情報及び前記第二の仮想ボリューム情報をリモートコピーの送信元情報、前記第二のストレージシステムの識別情報である第二のストレージ識別情報と前記第二のストレージシステムが有する第二のボリュームの識別情報である第二のボリューム識別情報をリモートコピーの送信先情報とするペア情報を、前記管理サーバから受信する
ことを特徴とする中継装置。
【請求項１９】
請求項１８記載の中継装置であって、
前記第二の仮想ストレージ識別情報は、前記第一のストレージシステムの識別情報である第一のストレージ識別情報と同じ値を有し、
前記第二の仮想ボリューム識別情報は、前記第一のストレージシステムが有する第一のボリュームの識別情報である第一のボリューム識別情報と同じ値を有する
ことを特徴とする中継装置。
【請求項２０】
請求項１８記載の中継装置であって、
前記第一のインタフェース部が受信するログ情報中のリモートコピーI/O要求には、送信元の情報として前記第一のストレージ識別情報と前記第一のボリューム識別情報が、送信先の情報として前記第二のストレージ情報と前記第二のボリューム情報が含まれており、
前記プロセッサは、受信したログ情報中のリモートコピーI/O要求を取得し、送信元の情報を、前記第二の仮想ストレージ識別情報と前記第二の仮想ボリューム識別情報とに変換し、
前記第二のインタフェース部は変換後のリモートコピーI/O要求を前記第二のストレージシステムに送信する
ことを特徴とする中継装置。